(57)【要約】【課題】香料成分は湿度によって拡散スピードや拡散範囲に差があり、湿度によって拡散具合が変わってしまうという課題があった。【解決手段】香料成分を空間に噴霧するアロマディフューザーであって、前記香料成分の噴霧量を制御する制御部を備え、前記制御部は、前記アロマディフューザーが設置される使用環境における湿度に応じて前記香料成分の噴霧を制御し、前記使用環境における湿度が高い時に噴霧量が多く、前記使用環境における湿度が低い時に噴霧量が少なくなるように制御することを特徴とする。【選択図】図４
2020062299.tif 000002
【特許請求の範囲】
【請求項１】
香料成分を空間に噴霧するアロマディフューザーであって、
前記香料成分の噴霧量を制御する制御部を備え、
前記制御部は、前記アロマディフューザーが設置される使用環境における湿度に応じて前記香料成分の噴霧を制御し、前記使用環境における湿度が高い時に噴霧量が多く、前記使用環境における湿度が低い時に噴霧量が少なくなるように制御することを特徴とするアロマディフューザー。
【請求項２】
前記使用環境の湿度を計測する湿度センサーを備え、
前記制御部は、前記湿度センサーの計測結果に基づいて前記香料成分の噴霧量を制御することを特徴とする請求項１に記載のアロマディフューザー。
【請求項３】
前記制御部は、前記使用環境における湿度が所定の閾値を超える場合に、前記使用環境における湿度が前記所定の閾値以下である場合に比べて前記香料成分の噴霧量を多くすることを特徴とする請求項１または２に記載のアロマディフューザー。
【請求項４】
前記香料成分を含む空気の吹出口と、
前記吹出口まで前記香料成分が通流する吹出経路と
を有し、
前記制御部は、前記使用環境における湿度に応じて前記吹出経路の断面積を変更することで噴霧量を変更することを特徴とする請求項１から３のいずれか一項に記載のアロマディフューザー。
【請求項５】
前記香料成分を噴霧するための空気流を発生する送風手段を有し、
前記制御部は、前記使用環境における湿度に応じて前記送風手段の出力を変更することで噴霧量を変更することを特徴とする請求項１から４のいずれか一項に記載のアロマディフューザー。
【発明の詳細な説明】
【技術分野】
【０００１】
本発明は、容器内の液体中に含まれる香料成分を空間に揮散させるアロマディフューザーに関する。
【背景技術】
【０００２】
従来から、超音波振動を利用して水などの液体を霧化し、その液体中に含まれる香料成分を外部空間に揮散させるものや、送風ファンによって香料成分を外部空間に放出させるアロマディフューザーが知られている。さらに、ディフューザーの噴霧時間をあらかじめ設定することで拡散具合を調整する技術が開示されている。
【先行技術文献】
【特許文献】
【０００３】
【特許文献１】特開平１０−１５０４９号公報
【発明の概要】
【発明が解決しようとする課題】
【０００４】
特許文献１には、芳香装置における香りの発生が、加湿器や空気清浄装置の動作と連動するものについて開示されている。一方、アロマオイルは湿度によって拡散スピードや拡散範囲に差があり、その日の湿度によって拡散具合が違うという課題があった。
【課題を解決するための手段】
【０００５】
以上を鑑み、本発明に係るアロマディフューザーは、
香料成分を空間に噴霧するアロマディフューザーであって、
前記香料成分の噴霧量を制御する制御部を備え、
前記制御部は、前記アロマディフューザーが設置される使用環境における湿度に応じて前記香料成分の噴霧を制御し、前記使用環境における湿度が高い時に噴霧量が多く、前記使用環境における湿度が低い時に噴霧量が少なくなるように制御することを特徴とする。
【発明の効果】
【０００６】
芳香空間の湿度に応じて、拡散具合を所望の程度とすることができ、芳香空間の香料成分濃度を湿度に応じて保つことができる。また余分な香料成分の噴出を抑え、香料成分の浪費を抑えることができる。
【図面の簡単な説明】
【０００７】
【図１】本発明の一実施形態に係るアロマディフューザーの斜視図。
【図２】本発明の一実施形態に係るアロマディフューザーの内部構造を示す斜視図。
【図３】本発明の一実施形態に係るアロマディフューザーの芳香制御の動作を説明する概念図。
【図４】本発明の一実施形態に係るアロマディフューザーの制御構成を示すブロック図。
【図５】湿度によるコンプレッサ出力制御の例。
【図６】時間と湿度を用いたコンプレッサ出力制御の例
【図７】本発明の他の実施形態に係るアロマディフューザーの芳香制御の動作を説明する概念図。
【図８】本発明の他の実施形態に係るアロマディフューザーの制御構成を示すブロック図。
【図９】本発明の第４実施形態における従来例を示す概略図。
【図１０】本発明の第４実施形態に係るタッチパネルの背面図。
【図１１】本発明の第４実施形態における従来例の断面図。
【図１２】本発明の第４実施形態に係る概略図。
【図１３】本発明の第４実施形態における他の態様を示す断面図。
【図１４】本発明の第４実施形態における他の態様を示す断面図。
【発明を実施するための形態】
【０００８】
（第１実施形態）
以下、図面を参照し、本発明の実施の形態について詳細に説明する。
【０００９】
＜全体構成＞
図１は、本発明の一実施形態にかかるアロマディフューザー１の外観を示す斜視図である。筐体１０の上部には、香料成分を空間に放出するための吹出口１１が設けられており、吹出口１１は、第１吹出口１１ａと第２吹出口１１ｂとが並んで設けられている。尚、以下の説明においては第１吹出口１１ａと第２吹出口１１ｂとをまとめて吹出口１１と呼ぶことがある。
【００１０】
詳細は後述するが、第１吹出口１１ａと連通する第１ボトル２０ａがその下部に設けられており、同様に第２吹出口１１ｂと連通する第２ボトル２０ｂがその下部に設けられている。第１ボトル２０ａから第１吹出口１１ａまでの吹出経路を含めた構造と第２ボトル２０ｂから第２吹出口１１ｂまでの吹出経路を含めた構造とは同等であるため、以下の説明においては基本的に、第１ボトル２０ａを例に挙げて説明する。尚、以下の説明においては第１ボトル２０ａと第２ボトル２０ｂとをまとめてボトル２０（香料容器）と呼ぶことがある。
【００１１】
このように配置されたボトル２０内に収容されている香料成分を、ボトル２０に隣接するように設けられた揮散機構３０（送風手段）によって空気流を発生させて吹出口１１から放出させることによって、アロマディフューザー１が設置される揮散空間内に香料成分を揮散させる。
【００１２】
なお、吹出口１１は、図１においては、開口が形成されているだけであるが、吹出方向を自在に変更できるノズルを設け、ユーザが所望の方向に制御可能なように構成しても良い。
【００１３】
また、本実施形態においては、ボトル２０を覆うように透明のカバー７０が設けられており、ユーザは滑り止め７０ａに触れてカバー７０を回動させて開くことでボトル２０へ触れることが可能となる。
【００１４】
＜内部構造＞
図２には、本発明の一実施形態に係るアロマディフューザー１の内部構造を示している。図２（ａ）には筐体１０を外した内部構造に関し、アロマディフューザー１におけるボトル２０が取り付けられる側（正面側）から見た斜視図を示しており、図２（ｂ）にはその反対側（背面側）から見た斜視図を示している。
【００１５】
図２（ａ）に示すように、ボトル２０の上部には、その内部に吹出経路を形成するボトルキャップ４０が設けられている。ボトルキャップ４０は、第１ボトル２０ａから第１吹出口１１ａを連通する第１吹出経路４１ａと、第２ボトル２０ｂから第２吹出口１１ｂを連通する第２吹出経路４１ｂとがそれぞれ別体に設けられている。但し、第１ボトルキャップ４０ａと第２ボトルキャップ４０ｂとを一体に形成し、その内部に例えば隔壁によって仕切った状態で第１吹出経路４１ａと第２吹出経路４１ｂとを形成しても良い。
【００１６】
第１ボトルキャップ４０ａは、第１ボトル２０ａと嵌合する構造を有し、第１ボトル２０ａと第１吹出経路４１ａとを連通する第１ボトルキャップ入口４２ａを有しており、図２（ｂ）に示す第１揮散機構３０ａを駆動することによって第１ボトル２０ａから放出された香料成分が、第１ボトルキャップ４０ａ内の第１吹出経路４１ａを通流して第１ボトルキャップ出口４３ａに到達し、筐体１０に設けられた第１吹出口１１ａから揮散空間（外気）に向けて揮散させられる。
【００１７】
＜揮散機構＞
ここで、揮散機構３０について詳細に説明する。揮散機構３０は、上述したように、ボトル２０に収容された香料成分を、ボトルキャップ４０内の吹出経路４１に通流させて、吹出口１１から揮散空間に向けて揮散させるものであり、第１吹出経路４１ａに対応する第１揮散機構３０ａと、第２吹出経路４１ｂに対応する第２揮散機構３０ｂとを有する。
【００１８】
揮散機構３０の一例として、本実施形態においては、ダイアフラムポンプを内蔵したコンプレッサ３１と、コンプレッサ３１とボトルキャップ４０とを接続する接続管３２とによって構成されており、第１揮散機構３０ａと第２揮散機構３０ｂとに対応してそれぞれ設けられている。また、接続管３２はシリコンゴムやＰＶＣ（ポリ塩化ビニル）などの樹脂材料によってチューブ状に形成されており、本実施形態においては、図２（ｂ）に示している通り、第１ボトルキャップ４０ａの背面側に第２コンプレッサ３１ｂが、また、第２ボトルキャップ４０ｂの背面側に第１コンプレッサ３１ａがそれぞれ配置されるように、コンプレッサ３１の上部において、交差するように配置され、コンプレッサ３１とボトルキャップ４０とに接続されている。
【００１９】
このように接続管３２を交差して配置することによって、強度を考慮して剛性の比較的高い材質で接続管３２を形成する場合であっても、引き回すスペースを確保することができる。
【００２０】
図３には、本発明の一実施形態に係るアロマディフューザーの芳香制御の動作を説明する概念図を示している。図３に示すように、コンプレッサ３１によって発生した空気の流れが、ボトルキャップ４０に流入し、その空気の流れがエジェクタとして機能することによって、ボトル２０から香料成分が吹出経路４１に流入する。
【００２１】
香料成分は、霧状に吹出経路４１に流入するが、そのうち粒子径の大きいものについては、ボトルキャップ４０の外壁に衝突してそのまま落下することで逆流路４４に流入してボトル２０内に戻る。
【００２２】
吹出経路４１内を通流する香料成分は、コンプレッサ３１によって発生した空気と共にボトルキャップ４０内で迂回するように形成された吹出経路４１に沿って下流側に通流し、ボトルキャップ出口４３に到達する。その後図１に示す吹出口１１から揮散空間に向けて放出される。
【００２３】
このように形成される揮散機構３０においては、ボトル２０やコンプレッサ３１の長手方向を揃えて配置することによって省スペースな配置が可能となるが、図３に示すように、ボトル２０とコンプレッサ３１との長手方向をアロマディフューザー１の上下方向に沿って配置することが好ましい。この場合に、コンプレッサ３１とボトルキャップ４０とを接続する接続管３２をできるだけ短く構成することが好ましいが、一方で、ボトルキャップ４０に対して流入する空気の進行方向は、図３における横方向すなわち、ボトルキャップ４０における筐体１０の設置面方向に流入させることが好ましい。
【００２４】
その理由として、この設置面方向に流入させることによって、ボトルキャップ４０内においてボトル２０内の香料成分に対してエジェクタ効果を発生させやすくすると共に、ボトルキャップ４０内を上下方向に通流させながら設置面方向に空気の流れる吹出経路４１を形成することで、香料成分の気液分離を行いやすくすることができる。
【００２５】
そのため、接続管３２の経路は、図３に示すように筐体１０の側方から見た際に直角に折れ曲がるように形成することが好ましい。その場合に、接続管３２の強度（剛性）などを考慮したＲを形成すると、Ｒを大きくとる必要が生じるが、本実施形態においては、図２（ｂ）に示すように、第１ボトルキャップ４０ａの背面側に第２コンプレッサ３１ｂが、また、第２ボトルキャップ４０ｂの背面側に第１コンプレッサ３１ａがそれぞれ配置されるように、コンプレッサ３１の上部において、交差するように配置することで、接続管３２の配置スペースを低減することができる。
【００２６】
これは３つ以上のボトル２０を取り付け可能に構成した場合においても同様であり、各コンプレッサ３１から接続される接続管３２の接続先となるボトルキャップ４０が、隣接するコンプレッサ３１の上部に位置するボトルキャップとなるように接続することで、それぞれの接続管３２の引き回しを効率的に行うことができ、筐体１０の小型化を図ることができる。
【００２７】
以上説明したように、香料成分の揮散量は、コンプレッサ３１によって発生する空気量に比例する。換言すれば、香料成分の揮散量を、コンプレッサ３１の駆動条件（駆動電流、駆動時間）を制御することによって調整可能である。
【００２８】
＜ブロック図＞
図４は、本実施形態に係るアロマディフューザー１の制御構成を示すブロック図である。図４に示すように、ＣＰＵ（Ｃｅｎｔｒａｌ  Ｐｒｏｃｅｓｓｉｎｇ  Ｕｎｉｔ）５０、コンプレッサ３１、記憶部５１、通信ＩＦ（ＩｎｔｅｒＦａｃｅ）５２、操作部５３、表示部５４、電源部５５、湿度センサー５６などを備えている。
【００２９】
ＣＰＵ５０は、アロマディフューザー１の各部全体を統括して制御を行う制御部である。なお、図４においては各構成がＣＰＵ５０とのみ接続されているが、バスを通じてそれぞれが接続されて直接信号のやり取りを行うように構成しても良い。
【００３０】
記憶部５１は、ＲＯＭやＲＡＭなどの記憶デバイスによって構成されており、ＣＰＵ５０が各部を制御するために必要な各種プログラムや制御処理に必要なデータ等が記憶されている。例えば、コンプレッサ３１の駆動制御のために必要なデータ以外にも、後述する通信ＩＦ５２や表示部５４を制御するために必要なデータ等も記憶されており、ＣＰＵ５０はこれらのデータを利用して通信ＩＦ５２や表示部５４を制御する。
【００３１】
通信ＩＦ５２は、外部機器との間で通信を行うためのインターフェースであり、各無線通信規格に対応した無線モジュールや、有線接続するためのＬＡＮコネクタやＵＳＢコネクタなどである。
【００３２】
表示部５４は、アロマディフューザー１の動作状態などをユーザに通知すべく、筐体１０に設けられたＬＣＤなどのディスプレイやＬＥＤなどのインジケータである。アロマディフューザー１の動作モード（コンプレッサ３１の動作状態）に応じた表示態様になるようにＣＰＵ５０が表示部５４を制御することによってユーザがアロマディフューザー１の動作モードを把握しやすくなる。また、動作モード以外にも、電源のオン、オフ状態や、通信ＩＦ５２での通信状態を表示しても良い。
【００３３】
操作部５３は、ユーザがＣＰＵ５０に対してアロマディフューザー１の動作モードの制御指示などを入力するためのインターフェースであり、一例としては、筐体１０の外表面に配置されたタクトスイッチなどである。また、ＬＣＤなどのディスプレイや機能を示したデザインなどの上に貼り付けたタッチパネルによって構成しても良い。
【００３４】
電源部５５は、電池やＡＣアダプタによって構成される電源に接続される電源回路であり、各部に対して必要な電力を生成して供給するものである。そのため、図４においては、電源部５５はＣＰＵ５０にのみ接続されているが、実際には各部に対して接続されており、各部の駆動に必要な電力を供給している。ＣＰＵ５０によってそれらの電力供給の制御を行うように構成しても良い。また、電池としては本体に内蔵される内蔵電池などでも良いし、ＵＳＢケーブルなどによって接続されるモバイルバッテリのような外部電池でも良い。なお、電池を内蔵するように構成する場合には、その充電のための機構は特に限定されない。たとえばＵＳＢケーブルなどによって供給された電流によって充電されるようにしても良いし、無線給電などによって充電可能な充電回路を有しても良い。
【００３５】
湿度センサー５６は、アロマディフューザー１が使用される使用環境の湿度を測定するためのものであり、測定した湿度情報をＣＰＵ５０に通知し、ＣＰＵ５０はこの湿度情報を基にコンプレッサ３１の出力を制御する。霧状化した香料成分は湿度が高いと拡散しにくいため、湿度が所定の湿度（第１の閾値湿度）よりも高い時はコンプレッサ３１の出力を高く（高湿度動作モード）してボトルキャップ出口４３からの噴霧量を増やして揮散空間内の拡散を促す。
【００３６】
また、湿度が低いと拡散しやすいため、コンプレッサ３１の出力を低く（低湿度動作モード）してボトルキャップ出口４３からの噴霧量を下げ霧状化した香料成分の拡散を抑える。
【００３７】
図５の制御例１は湿度によって線形的にコンプレッサ３１の出力を変化させる例である。また、図５の制御例２のように湿度によって段階的にコンプレッサ３１の出力を変化させてもよい。制御例２では３段階に制御しているが２段階や３段階以上の多段階の制御にしてもよい。
【００３８】
また、この制御は別の目的の制御と組み合わせてもよい。例えば噴霧初期は香料成分を周囲へ早く拡散させるために湿度に関わらず噴霧する。そして、所定時間の経過後に、上述したような湿度に応じた制御に切り替えても良い。また、所定時間の経過に替えて、湿度等をパラメータとして周囲への拡散時間を計算してその時間に到達したら湿度に応じた制御に切り替えるといった制御でもよい。また人の臭覚の慣れを防ぐために断続的に噴霧したり、噴霧速度を変化させるという制御と組み合わせてもよい。いずれの場合においても、計測した湿度が所定の湿度以下となっている状態よりも、湿度が所定の湿度よりも高い場合の状態の方が、単位時間あたりの噴霧量が大きくなるように制御されていれば良い。
【００３９】
図６には、別の目的の制御と組み合わせた例を示す。噴霧出力が開始されると、一定の噴霧出力Ｐ１で所定時間ｔ１に亘って噴霧が行われる。この所定時間ｔ１は、予め設定された時間であり、所定時間ｔ１に亘って噴霧を行うことで、アロマディフューザー１の周辺において、香料成分による効能を得るために最低限必要な時間として設定された時間となっている。
【００４０】
ｔ１が経過した時点もしくはそれまでのある程度の期間に亘って湿度センサー５６によって使用環境の湿度情報を計測する。その結果に基づいて噴霧出力を噴霧出力Ｐ２に切り替え、以後は湿度センサー５６によって計測された湿度に基づいて噴霧出力が制御されている。図６に示す例においては、所定時間ｔ１が経過した後は、噴霧出力を徐々に上昇させる例を示しているが、これは、香料成分の噴霧によって湿度が上昇したか、同時に駆動された加湿器などによって湿度が上昇していく場合における噴霧出力の例を示している。
【００４１】
ここで、図６を用いて説明した上記の例においては、所定時間ｔ１と噴霧出力Ｐ１はユーザが初期設定として設定可能な条件に基づいている。従って、本実施形態においては、ユーザによって設定された噴霧出力Ｐ１に基づいて所定時間ｔ１が自動的に変更されても良いし、ユーザによって設定された所定時間ｔ１に基づいて噴霧出力Ｐ１が自動的に変更されるようにしても良い。
【００４２】
また、所定時間ｔ１が経過した時点でのトータルの噴霧量と、その時点で湿度センサー５６が測定した湿度情報とに基づいて、噴霧出力Ｐ２が決定されても良い。
【００４３】
従って、本実施形態におけるアロマディフューザー１は、湿度センサー５６などによって計測した湿度情報と、その時点までに噴霧したトータルの噴霧量などに基づいて噴霧出力が制御される。換言すれば、湿度センサー５６などの計測結果（湿度情報）に基づいて噴霧出力が制御されるものにおいて、噴霧量の合計（一例としては、噴霧出力と噴霧時間の積）が所定の値を超えるまでは、湿度センサー５６の計測結果に依らずに所定の噴霧出力（噴霧出力Ｐ１）による噴霧を継続し、噴霧量の合計が所定の値を超えると、計測された湿度情報に基づいて噴霧出力が制御されるアロマディフューザーであると言える。
【００４４】
また、湿度センサー５６はアロマディフューザー１に取り付けられることが好ましいが、外部センサーとしてアロマディフューザー１以外に取り付けたものを接続するようにしてもよい。また、通信ＩＦ５２を通じて外部機器などから湿度情報をＣＰＵ５０へ入力してもよい。また、ＣＰＵ５０への入力は湿度を含まない天気や気温、気圧、降雨予想％等の情報であって、それらをパラメータとして独自の湿度予測をして制御してもよい。本実施形態における独自の湿度予測の一例として、例えば、天気によって湿度が「高」、「中」、「低」のいずれであるかを判断するように構成しても良い。
【００４５】
（第２実施形態）
図７には、本発明の第２実施形態に係るアロマディフューザーの芳香制御の動作を説明する概念図を示している。基本的な構成は第１実施形態と同様であるため説明を省略し、その相違点について説明する。
【００４６】
図７に示すように、コンプレッサ３１によって発生した空気の流れが、ボトルキャップ４０に流入し、その空気の流れがエジェクタとして機能することによって、ボトル２０から香料成分が吹出経路４１に流入する。ボトルキャップ出口４３手前にはカム５７とカムを駆動するアクチュエータ５８を配置する。図７のカム位置Ａ（左図）は、カム５７によりボトルキャップ出口４３手前の吹出経路４１の断面積が広げられた状態、図７カムの位置Ｂ（右図）は、カム５７により吹出経路４１の断面積が狭められた状態を示している。このように、本実施形態においては、第１実施形態とは異なり、コンプレッサ３１の出力は一定に制御しつつ、カム５７の位置によって吹出経路４１の断面積を広げたり狭めたりすることによって、香料成分の噴霧量を切り替える。
【００４７】
図８は、本発明の第２実施形態に係るアロマディフューザー１の制御構成を示すブロック図である。図８に示すように、ＣＰＵ（Ｃｅｎｔｒａｌ  Ｐｒｏｃｅｓｓｉｎｇ  Ｕｎｉｔ）５０、コンプレッサ３１、記憶部５１、通信ＩＦ（ＩｎｔｅｒＦａｃｅ）５２、操作部５３、表示部５４、電源部５５、湿度センサー５６、アクチュエータ５８などを備えている。湿度センサー５６がアロマディフューザー１が設置される使用環境の湿度をＣＰＵ５０に通知し、ＣＰＵ５０はこの湿度情報を基にアクチュエータ５８を介してカム５７の位置を制御する。
【００４８】
霧状化した香料成分は湿度が高いと拡散しにくいため、湿度が高い時はカム５７を図７のカム位置Ａ（左図）の位置に制御して吹出経路４１の断面積を広げて噴霧量を増やし、揮散空間内の拡散を促す。また湿度が低いときは拡散しやすいためカム５７を図７のカム位置Ｂ（右図）に制御して吹出経路４１の断面積を狭めて噴霧量を下げ、霧状化した香料成分の拡散を抑える。カム５７による吹出経路４１の断面積の制御は、第一実施形態におけるコンプレッサ３１の出力同様、湿度に対して線形に変化させてもよいし段階的に制御してもよい。
【００４９】
なお、本実施形態においては、カム５７を回転させて位相を変えることで吹出経路４１の断面積を広げた場合には、吹出経路４１内の圧損が減って噴霧量が増え、吹出経路４１の断面積を狭めた場合には、吹出経路４１内の圧損が増えて噴霧量が減る例について説明した。但し、本実施形態はこれに限られず、例えばカム５７を切り替えてボトルキャップ出口４３付近の断面積が減ることによってボトルキャップ出口４３から噴出する香料成分の流速が上昇してより遠くまで香料成分が到達するようにし、ボトルキャップ出口４３付近の断面積が増えることによってボトルキャップ出口４３から噴出する香料成分の流速が低下して遠くまで香料成分が到達されないようにすることも可能である。
【００５０】
（第３実施形態）
第１実施形態ではコンプレッサ３１の出力を、第２実施形態では吹出経路４１の断面積を変更することによって、使用環境の湿度による拡散具合の違いに対応したが、複数の揮散機構を持つアロマディフューザーまたは複数のアロマディフューザーをまとめて制御するシステムにおいては、稼働する揮散機構やディフューザーの数を制御することで噴出量を制御してもよい。すなわち、湿度が高いときは稼働する基数を増やして香料成分の拡散を促し湿度が低いときは稼働する基数を減らして拡散を抑えて同様の効果を得ることができる。またこの制御は第１実施形態や第２実施形態と組み合わせて使用してもよい。
【００５１】
また、例えば複数のアロマディフューザーを制御するシステムにおいて、使用環境の湿度を測定する湿度センサー５６を複数配置し、使用環境内における湿度の分布に応じて、噴霧量を増加させるアロマディフューザーが選択されるようにしても良い。例えばアロマディフューザーが部屋の中に複数配置される場合、部屋の中において湿度が高い部分を複数の湿度センサーなどによって検知した場合には、当該湿度の高い部分に最も近いアロマディフューザーにおける噴霧量を増加させるように制御しても良い。
【００５２】
（第４実施形態）
以下、本発明の第４実施形態について図面を用いて説明する。本実施形態は、上記実施形態で説明したアロマディフューザーやその他の機器において表示部を有するもの、特にタッチパネルを有するものに関する。
【００５３】
製品の操作部としてタッチパネルが使用されることが増えており、操作部に用いられるタッチパネルは、ＬＣＤの前面に外装の外側から取り付けられ、その際の固定には主として両面テープが使われている。特開２０１５−７５６０７号公報などに記載されているように、両面テープはタッチパネルの操作面となるアクティブエリアの外側から外縁までの間に貼り付けられる。この時、タッチパネルの外縁部全周を両面テープで固定するとタッチパネルの信号線であるＦＰＣの取付部にも両面テープを貼り付けてしまうことになる。この場合、タッチパネルを剥がす方向に力がかかると、ＦＰＣの取付部にも力が加わり、場合によっては断線する虞がある。従ってタッチパネルの固定は、ＦＰＣの取付部を避けて両面テープを貼らなければならないという制約があった。
【００５４】
本実施形態によれば、タッチパネルへの両面テープの貼付作業性を改善し、且つタッチパネルの信号線であるＦＰＣの取付部の断線を防ぐことができる。
【００５５】
図９は従来のタッチパネル取付部の一例を示す概略図である。タッチパネル４０１は両面テープ４０６を使って外装４１０に貼り付けられる。外装４１０にはタッチパネルの貼付面４１１とタッチパネルの信号線ＦＰＣ４０４を通すスリット４１２が設けられ、側壁４０５に沿ってスリット４１２を通してＦＰＣ４０４を外装４１０の内部に引き込んだ状態でタッチパネル４０１は貼り付けされる。
【００５６】
図１０に従来のタッチパネル４０１の外装貼付面側である裏面図を示す。中央は透明なアクティブエリア４０２であり、そのアクティブエリア外周４０３がタッチパネル４０１を挟み込んだり接着したりして力を加えてもよい領域になっており、タッチパネル４０１の取り付けに使える範囲である。ただしＦＰＣ４０４の取付部４０７は力が加わると断線する虞があるため取り付けにはこのままでは使用できない。そのため、図９に示す両面テープ４０６は外装４１０のタッチパネル貼付面４１４の枠形状に一様に貼ることができずＦＰＣ取付部を避けて一部に切り欠けを設けて貼っている。
【００５７】
図１１にはＦＰＣ取付部の近傍断面図を示す。この例においては、図１１に示すようにＦＰＣ取付部と外装４１０の間は両面テープ４０６に切り欠きがあることで、両面テープ４０６がなく隙間が空いた状態となる。このように両面テープ４０６は部分的に貼ってはならない場所があるためタッチパネル４０１の取り付け工程は作業性の悪い工程となっている。
【００５８】
本実施形態は、この様な状況を鑑みてなされた物であり、組立の作業性を改善し、且つタッチパネル断線の起き難い操作部を提供するものである。以下、本実施形態について詳細に説明する。
【００５９】
図１２は、本実施形態の概略図である。タッチパネル４０１は両面テープ４０６を使って外装４１３に貼り付される。外装４１３にはタッチパネルの貼付面４１１とタッチパネルのＦＰＣ４０４を通すスリット４１５が設けられ、スリット４１５を通してＦＰＣ４０４を外装４１３の内部に引き込んだ状態でタッチパネル４０１は貼り付けられる。また貼付面４１１にはＦＰＣ取付部と対向する部分に両面テープが貼り付きにくいシリコン部材４１６が取り付けられている。シリコン部材４１６により両面テープ４０６は外装４１３の貼付面４１１の枠上部分に一様に貼ってもＦＰＣ取付部に負荷をかけず断線の心配もない。
【００６０】
具体的には、外装４１３とシリコン部材４１６との間にスリット４１５が形成されるようにシリコン部材４１６が外装４１３に対して取り付けられている。
【００６１】
図１３に、本実施形態におけるシリコン部材４１６のＦＰＣ取付部近傍の断面図を示す。タッチパネル４０１は両面テープ４０６で外装４１３へ貼り付けられており、ＦＰＣ取付部に対向する外装４１３には凹部を設けている。その凹部にシリコン部材４１６がシリコンの貼り付けに適した接着剤４１７によって貼り付けられている。接着剤４１７はシリコン貼り付けに対応した両面テープで代用してもよい。
【００６２】
図１４に、他の態様におけるＦＰＣ取付部近傍の断面図を示す。タッチパネル４０１は両面テープ４０６で外装４１３へ貼り付けられており、ＦＰＣ取付部に対向する外装４１３は部分的に切り欠かれ、シリコン部材４１６の代わりにゴムで作成された追加部材４１８が取り付けられている。追加部材４１８はゴム以外のＰＥ（ポリエチレン）樹脂やＰＰ（ポリプロプレン）樹脂、ＰＯＭ（ポリアセタール）樹脂で作成してもよい。追加部材４１８の外装４１３への取り付け方法は熱溶着、ビス止め、スナップフィット等があるが、これらに限定されるものではない。
【００６３】
なお、図１４においては、追加部材４１８を外装４１３に固定するために、追加部材４１８に段部を設けて、外装４１３におけるタッチパネルとは反対側の面から取り付けられるように固定される例を示している。
【００６４】
以上説明したように、本実施形態により、タッチパネルの取付において断線を気にして両面テープの貼付箇所を限定する必要がなくなりＦＰＣ取付部に負荷がかからなくなるので、作業性が良くＦＰＣ断線を起し難いタッチパネル固定方法を提供する事が出来る。
【００６５】
（付記１）
タッチパネルと、
前記タッチパネルが両面テープで固定される操作部と、
前記操作部における、前記タッチパネルの信号線としてのＦＰＣを取り付ける取付部と対向する部分に、シリコン部材が取り付けられたことを特徴とするタッチパネル固定構造。
【００６６】
（付記２）
前記シリコン部材として、シート状のシリコンゴムが接着剤または両面テープで前記操作部におけるタッチパネル貼付面に貼り付けられたことを特徴とする付記１に記載のタッチパネル固定構造。
【００６７】
（付記３）
タッチパネルと、
前記タッチパネルが両面テープで固定される操作部と、
前記操作部における、前記タッチパネルの信号線としてのＦＰＣを取り付ける取付部と対向する部分に、ゴム部材が取り付けられたことを特徴とするタッチパネル固定構造。
【符号の説明】
【００６８】
１  アロマディフューザー
１０  筐体
１１  吹出口
１１ａ  第１吹出口
１１ｂ  第２吹出口
２０ａ  第１ボトル
２０ｂ  第２ボトル
３０  揮散機構
３１  コンプレッサ
３２  接続管
４０ａ  第１ボトルキャップ
４０ｂ  第２ボトルキャップ
４１ａ  第１吹出経路
４１ｂ  第２吹出経路
４２ａ  第１ボトルキャップ入口
４２ｂ  第２ボトルキャップ入口
４３ａ  第１ボトルキャップ出口
４３ｂ  第２ボトルキャップ出口
４４  逆流経路
５０  ＣＰＵ
５１  記憶部
５２  通信ＩＦ
５３  操作部
５４  表示部
５５  電源部
５６  湿度センサー
５７  カム
５８  アクチュエータ
【図１】
2020062299.tif 000003
【図２】
2020062299.tif 000004
【図３】
2020062299.tif 000005
【図４】
2020062299.tif 000006
【図５】
2020062299.tif 000007
【図６】
2020062299.tif 000008
【図７】
2020062299.tif 000009
【図８】
2020062299.tif 000010
【図９】
2020062299.tif 000011
【図１０】
2020062299.tif 000012
【図１１】
2020062299.tif 000013
【図１２】
2020062299.tif 000014
【図１３】
2020062299.tif 000015
【図１４】
2020062299.tif 000016